(57)【要約】【課題】プラズマディスプレイパネルの駆動方法を提供する。【解決手段】共通−アドレス（第１）電極ラインと、隔壁内で第１電極ラインに離隔され、各放電セルで第１電極ラインと交差するように延びる走査（第２）電極ラインと、を備え、リセット期間で、走査電極ラインへの上昇パルスの印加による第１初期化放電と、下降パルスの印加による第２初期化放電とを経、アドレス期間で、走査高レベルを維持する複数個の走査電極ラインに走査低レベルの走査パルスを順次に印加し、走査パルスを印加する走査電極ラインに交差する第１電極ラインに選択的に表示データ信号を印加し、維持放電期間で、走査電極ラインに交互維持パルスを印加し、リセット期間で、走査電極ラインに下降パルスを印加する時、第１電極ラインにバイアス電圧Ｖｘを印加し、下降パルスの最低電圧Ｖｎｆ２は、維持放電期間での交互維持パルスの電圧Ｖｓと同じである。【選択図】図４
2006018258.tif 000002
【特許請求の範囲】
【請求項１】
第１基板及びそれに対向する第２基板と、前記第１基板及び第２基板と共に放電セルを限定し、誘電体から形成された隔壁と、前記放電セルを取り囲むように前記第１隔壁内に配置され、前記放電セルを横切って延びる共通−アドレス電極ラインと、前記放電セルを取り囲むように前記隔壁内で前記共通−アドレス電極ラインに離隔されて配置され、前記各放電セルで前記共通−アドレス電極ラインと交差するように延びる走査電極ラインと、前記放電セル内に配置された蛍光体層と、前記放電セル内にある放電ガスと、を備え、
リセット期間、アドレス期間、及び維持放電期間からなる駆動波形によって駆動され、
前記リセット期間で、前記走査電極ラインへのランプアップパルスの印加による第１初期化放電とランプダウンパルスの印加による第２初期化放電を経て、
前記アドレス期間で、走査パルスのスキャンハイレベルＶＳＣ−Ｈを維持する複数個の前記走査電極ラインに走査パルスのスキャンローレベルＶＳＣ−Ｌが順次に印加され、前記走査パルスが印加される走査電極ラインに交差する前記共通−アドレス電極ラインに選択的に表示データ信号が印加され、
前記維持放電期間で、前記走査電極ラインに交互維持パルスが印加され、
前記リセット期間で、前記走査電極ラインにランプダウンパルスが印加される時、前記共通−アドレス電極ラインにバイアス電圧ＶXが印加され、ランプダウンパルスの最低電圧の電圧大きさＶｎｆ２は、前記維持放電期間での前記交互維持パルスの電圧大きさＶSと同じであることを特徴とするプラズマディスプレイパネル。
【請求項２】
前記リセット期間で、前記スキャンハイレベルＶＳＣ−Ｈと前記スキャンローレベルＶＳＣ−Ｌとの電圧差は、前記維持パルスの電圧大きさＶSと同じであることを特徴とする請求項１に記載のプラズマディスプレイパネル。
【請求項３】
前記リセット期間で、前記走査電極ラインにランプダウンパルスが印加される時、前記共通−アドレス電極ラインに前記表示データ信号と同じ電圧大きさを有するバイアス電圧Ｖａが印加されることを特徴とする請求項２に記載のプラズマディスプレイパネル。
【請求項４】
前記ランプアップパルスは、前記維持パルスの電圧大きさＶｓから始めて維持パルス電圧の２倍の電圧大きさ２Ｖｓまで上昇することを特徴とする請求項１に記載のプラズマディスプレイパネル。
【請求項５】
前記放電セルは、前記隔壁に蓄積された壁電荷による壁電圧と、共通−アドレス電極と走査電極とに印加される信号の電圧差との和が、前記放電セルの固有放電開始電圧Ｖｆを超過する時に強放電を発生させ、
前記リセット期間の固有放電開始電圧と、前記アドレス放電期間の固有放電開始電圧、及び前記維持放電期間の固有放電開始電圧とは、同じであることを特徴とする請求項１に記載のプラズマディスプレイパネル。
【請求項６】
前記維持放電期間で、前記走査電極ラインに印加される交互維持パルスの電圧大きさＶｓは、前記固有放電開始電圧Ｖｆの半分よりも大きいことを特徴とする請求項５に記載のプラズマディスプレイパネル。
【請求項７】
前記リセット期間で前記走査電極に印加されるランプダウンパルスは、前記ランプダウンパルスの電圧よりも前記固有放電開始電圧ほど高い壁電圧が維持されつつ、第２初期化放電が発生する傾斜度を有することを特徴とする請求項５に記載のプラズマディスプレイパネル。
【請求項８】
前記ランプダウンパルスの印加が終了した後には、前記放電セルに前記ランプダウンパルスの最低電圧よりも前記固有放電開始電圧Ｖｆほど高いリセット後壁電圧Ｖｗが維持されることを特徴とする請求項５に記載のプラズマディスプレイパネル。
【請求項９】
前記放電セルでの前記リセット後壁電圧Ｖｗの大きさは、前記固有放電開始電圧Ｖｆの半分よりも小さいことを特徴とする請求項８に記載のプラズマディスプレイパネル。
【請求項１０】
前記放電セルでの前記リセット後壁電圧Ｖｗと前記交互維持パルスの電圧大きさＶｓとの和は、前記固有放電開始電圧Ｖｆよりも小さいことを特徴とする請求項８に記載のプラズマディスプレイパネル。
【発明の詳細な説明】
【技術分野】
【０００１】
本発明は、プラズマディスプレイパネル（ＰＤＰ：Ｐｌａｓｍａ Ｄｉｓｐｌａｙ Ｐａｎｅｌ）に関わり、さらに詳細には、発光効率が向上し、永久残像が減少したＰＤＰに関する。
【背景技術】
【０００２】
ＰＤＰを採用した装置は、大画面を有しつつも、高画質、超薄型、軽量化及び、広視野角の優秀な特性を有しており、他の平板ディスプレイ装置に比べて、製造方法が簡単かつ大型化が容易で次世代平板ディスプレイ装置として注目されている。
【０００３】
このようなＰＤＰは、印加される放電電圧によって直流（ＤＣ：Ｄｉｒｅｃｔ Ｃｕｒｒｅｎｔ）型、交流（ＡＣ：Ａｌｔｅｒｎａｔｉｎｇ Ｃｕｒｒｅｎｔ）型及び、混合型に分類され、放電構造によって、対向放電型及び面放電に分類されることができる。
【０００４】
初期には、２電極対向放電ＰＤＰについての研究が活発に行われた。しかし、前記ＰＤＰでは、放電が第１基板と蛍光体層の塗布された第２基板との間で発生して、イオンスパッタリングによる蛍光体層の劣化が非常に激しく発生するという問題点がある。このような問題点を克服するために、最近には、ＡＣ型３電極面放電構造を有する交流型ＰＤＰが、一般的に採用されている。
【０００５】
図１は、通常的な３電極面放電方式のＰＤＰ １の構造を示す斜視図であり、図２は、図１のＰＤＰ １を備えるプラズマディスプレイ装置１００のブロック図である。図１及び図２を参照すれば、通常的な３電極面放電ＰＤＰ １の第１基板１０と第２基板１３との間には、共通−アドレス電極ラインＡＲ１，．．． ，ＡＢｍ、誘電体層１１，１５、Ｙ電極ラインＹ１，．．．，Ｙｎ、Ｘ電極ラインＸ１，．．．，Ｘｎ、蛍光体層１６、隔壁１７及び保護層としてのＭｇＯ層１２が設けられている。
【０００６】
共通−アドレス電極ラインＡＲ１，．．． ，ＡＢｍは、第２基板１３の前方に一定のパターンで形成される。下部誘電体層１５は、アドレス電極ラインＡＲ１，．．．，ＡＢｍの前方で全面塗布される。第１誘電体層１５の前方には、隔壁１７がアドレス電極ラインＡＲ１，．．． ，ＡＢｍ と平行方向に形成される。この隔壁１７は、各ディスプレイセルの放電領域を区画し、各ディスプレイセル間の光学的干渉を防止する機能を行う。蛍光体層１６は、隔壁１７の間に塗布される。
【０００７】
Ｘ電極ラインＸ１，．．．，Ｘｎ とＹ電極ラインＹ１，．．．，Ｙｎとは、アドレス電極ラインＡＲ１，．．．，ＡＢｍ と交差するように前方ガラス基板１０の後方に一定のパターンで形成される。各交差点は、対応する放電セルを設定する。第２誘電体層１１は、Ｘ電極ラインＸ１，．．．，Ｘｎ とＹ電極ラインＹ１，．．．，Ｙｎとの後方に全面塗布されて形成される。強い電界からパネル１を保護するための保護層１２、例えば、ＭｇＯ層は、第２誘電体層１１の後方に全面塗布されて形成される。放電空間１４には、プラズマ形成用ガスが密封される。
【０００８】
また、プラズマディスプレイ装置１００は、映像処理部５６、論理制御部６２、アドレス駆動部３、Ｘ駆動部４及びＹ駆動部５を含む。制御部６２は、映像処理部５６からの内部映像信号によって、駆動制御信号ＳＡ，ＳＹ，ＳＸを発生させる。アドレス駆動部３、Ｘ駆動部４及びＹ駆動部５は、論理制御部６２からの駆動制御信号ＳＡ，ＳＹ，ＳＸのうち、それぞれアドレス信号ＳＡ、Ｘ駆動制御信号ＳＸ、Ｙ駆動制御信号ＳＹを処理してＹ電極ラインに印加する。
【０００９】
図３は、ＰＤＰ駆動信号を示す波形図によって、それぞれの単位サブフィールドでＰＤＰの電極に印加される駆動信号を示す。図３の駆動方法に含まれた従来のリセッティング方法は、特許文献１及び２に開示されている。
【００１０】
図３を参照すれば、単位サブフィールドＳＦのリセッティング時間ＰＲの上昇期間では、Ｙ電極Ｘ１，．．．，Ｘｎで電位が第２電位ＶＴ１まで上昇した後、第２電位ＶＴ１より第５電位ＶＳＥＴほどさらに高い第１電位ＶＴ１＋ＶＳＥＴまで持続的に上昇する。ここで、Ｘ電極Ｘ１，．．．，Ｘｎとアドレス電極Ａ１，．．．，Ａｍとには、接地電位ＶＧが印加される。これにより、Ｙ電極とＸ電極との間に弱い放電が起こる一方、Ｙ電極とアドレス電極との間にさらに弱い放電が起こる。これにより、Ｙ電極の周囲には、負極性の壁電荷が多く形成され、Ｘ電極の周囲には、正極性の壁電荷が形成され、アドレス電極の周囲には、正極性の壁電荷が少なく形成される。
【００１１】
リセッティング時間ＰＲの下降期間では、Ｘ電極に印加される電位がバイアス電位Ｖｅとして維持された状態で、Ｙ電極に印加される電位が第３電位ＶＴ２から第４電位Ｖｎｆまで持続的に下降する。ここで、アドレス電極には、接地電位ＶＧが印加される。これにより、Ｘ電極とＹ電極との間の弱い放電によって、Ｙ電極の周囲の負極性の壁電荷の一部がＸ電極の周囲に移動する。これにより、Ｘ電極Ｘ１，．．．，Ｘｎの壁電位がアドレス電極の壁電位より低め、Ｙ電極の壁電位より高まる。これにより、続くアドレッシング期間ＰＡで選択されたアドレス電極とＹ電極ラインとの間の対向放電に要求されるアドレッシング電圧ＶＡ−ＶＳＣ−Ｌが低められる。一方、全てのアドレス電極には、接地電位ＶＧが印加されるので、アドレス電極は、Ｘ電極とＹ電極とに対して放電を行い、この放電によって、アドレス電極の周囲の正極性の壁電荷が消滅する。
【００１２】
続くアドレッシング期間ＰＡでは、Ｘ電極にバイアス電圧Ｖｅが印加された状態で、アドレス電極に表示データ信号が印加され、第２電位ＶＴ１より低い第６電位ＶＳＣ−ＨにバイアスされたＹ電極にローレベル電位ＶＳＣ−Ｌの走査パルスが順次に印加されるにつれて、円滑なアドレッシングが行われる。各アドレス電極に印加される表示データ信号は、ディスプレイセルを選択する場合に、正極性アドレッシング電位ＶＡが、そうでない場合に、接地電位ＶＧが印加される。これにより、ローレベル電位ＶＳＣ−Ｌの走査パルスが印加される間に正極性アドレッシング電位ＶＡの表示データ信号が印加されれば、相応するディスプレイセルでアドレッシング放電によって壁電荷が形成され、そうでないディスプレイセルでは、壁電荷が形成されない。
【００１３】
続く維持放電期間ＰＳでは、全てのＹ電極とＸ電極とに維持電圧ＶＳの維持パルスが交互に印加され、相応するアドレッシング時間ＰＡで、壁電荷が形成されたディスプレイセルでディスプレイ維持のための放電を起こす。
【００１４】
一方、前記ＰＤＰ １の場合にも、前記第１基板１０の下側から電極ラインと、第２誘電体層１１及び保護層１２が順次に形成された構造によって、蛍光体層１６から発散された可視光線が約４０％ほど吸収されることによって、発光効率を高めるのに限界があった。そして、長時間同じ画像を表示している場合には、放電ガスの荷電粒子が、電界によって蛍光体層１６にイオンスパッタリングされることによって、永久残像をもたらして寿命が短縮されるという問題点がある。また、ＰＤＰ １を駆動するための３個の駆動部、すなわち、Ｘ駆動部４、Ｙ駆動部５及びアドレス駆動部３が必要であるため、全体的な構造が複雑になるので、駆動装置及び電源回路の製造コストが大きいという問題点がある。
【特許文献１】特開第２１４,８２３号公報
【特許文献２】特開第２４２,２２４号公報
【発明の開示】
【発明が解決しようとする課題】
【００１５】
本発明が解決しようとする課題は、発光効率が向上し、永久残像が減少した特性を有するＰＤＰを提供することである。
【００１６】
本発明が解決しようとする他の課題は、ＰＤＰに印加される電源レベルの種類を単純化することによって、パネル駆動回路の製造コストを低減することである。
【課題を解決するための手段】
【００１７】
前記課題及びその他の課題を達成するために、本発明は、第１基板及びそれに対向する第２基板と、第１基板及び第２基板と共に放電セルを限定し、誘電体から形成された隔壁と、前記放電セルを取り囲むように前記第１隔壁内に配置され、前記放電セルを横切って延びる共通−アドレス電極ラインと、前記放電セルを取り囲むように、前記隔壁内で前記共通−アドレス電極ラインに離隔されて配置され、前記各放電セルで前記共通−アドレス電極ラインと交差するように延びる走査電極ラインと、前記放電セル内に配置された蛍光体層と、前記放電セル内にある放電ガスと、を備え、リセット期間、アドレス期間、及び維持放電期間からなる駆動波形によって駆動され、前記リセット期間で、前記走査電極ラインへのランプアップパルスの印加による第１初期化放電とランプダウンパルスの印加による第２初期化放電とを経て、前記アドレス期間で、スキャンハイレベルＶＳＣ−Ｈを維持する複数個の前記走査電極ラインに、スキャンローレベルＶＳＣ−Ｌの走査パルスが順次に印加され、前記走査パルスが印加される走査電極ラインに交差する前記共通−アドレス電極ラインに選択的に表示データ信号が印加され、前記維持放電期間で、前記走査電極ラインに交互維持パルスが印加され、前記リセット期間で、前記走査電極ラインにランプダウンパルスが印加される時、前記共通−アドレス電極ラインにバイアス電圧Ｖｘが印加され、ランプダウンパルスの最低電圧の電圧大きさＶｎｆ２は、前記維持放電期間での前記交互維持パルスの電圧大きさＶｓと同じであることを特徴とするＰＤＰを提供する。
【００１８】
一方、前記リセット期間で、前記スキャンハイレベルＶＳＣ−Ｈと前記スキャンローレベルＶＳＣ−Ｌとの電圧差は、前記維持パルスの電圧大きさＶｓと同一であり、これに加えて、前記リセット期間で、前記走査電極ラインにランプダウンパルスが印加される時、前記共通−アドレス電極ラインに前記表示データ信号と同じ電圧大きさを有するバイアス電圧Ｖａが印加されることもできる。
【００１９】
一方、前記ランプアップパルスは、前記維持パルスの電圧大きさＶｓから始めて維持パルス電圧の２倍の電圧大きさ２Ｖｓまで上昇することもできる。
【００２０】
そして、前記放電セルは、前記隔壁に蓄積された壁電荷による壁電圧と、共通−アドレス電極と走査電極とに印加される信号の電圧差との和が前記放電セルの固有放電開始電圧Ｖｆを超過する時、強放電を発生させ、前記リセット期間の固有放電開始電圧と、前記アドレス放電期間の固有放電開始電圧、及び前記維持放電期間の固有放電開始電圧は同一である。
【００２１】
そして、前記維持放電期間で、前記走査電極ラインに印加される交互維持パルスの電圧大きさＶｓは、前記固有放電開始電圧Ｖｆの半分よりも大きいことが望ましい。
【００２２】
また、前記リセット期間で前記走査電極に印加されるランプダウンパルスは、前記ランプダウンパルスの電圧よりも前記固有放電開始電圧ほど高い壁電圧が維持されつつ、第２初期化放電が発生する傾斜度を有することが望ましい。
【００２３】
そして、本発明の他の特徴によれば、前記ランプダウンパルスの印加が終了した後には、前記放電セルに前記ランプダウンパルスの最低電圧よりも前記固有放電開始電圧Ｖｆほど高いリセット後壁電圧Ｖｗが維持される。
【００２４】
また、本発明のさらに他の特徴によれば、前記放電セルでの前記リセット後壁電圧Ｖｗの大きさは、前記固有放電開始電圧Ｖｆの半分よりも小さく形成される。
【００２５】
そして、本発明のさらに他の特徴によれば、前記放電セルでの前記リセット後壁電圧Ｖｗと前記交互維持パルスの電圧大きさＶｓとの和は、前記固有放電開始電圧Ｖｆよりも小さい。
【００２６】
望ましくは、前記ＰＤＰの前記共通−アドレス電極ライン及び走査電極ラインは、導電性電極から形成され、一方向に延びた台形になっている。
【発明の効果】
【００２７】
本発明のＰＤＰによれば、次のような効果がある。
まず、本発明のＰＤＰによれば、第一に、維持放電が隔壁によって限定される部分でのみなされるので、従来のＰＤＰの問題点であった荷電粒子による蛍光体のイオンスパッタリングが防止され、これにより、同じ画像を長時間表示しても永久残像が生じない。
【００２８】
第二に、面放電が放電空間を形成する全ての側面で発生するので、放電面積が大きく拡大される。
【００２９】
第三に、放電が放電セルを形成する側面で発生して放電セルの中央部に広がるので、放電領域が従来に比べて甚だしく向上することによって、放電セル全体を効率的に利用できる。したがって、低い電圧でも駆動が可能になって、発光効率を画期的に向上させることができる。
【００３０】
第四に、本発明のＰＤＰを駆動するための駆動装置は、走査電極ラインを駆動するための走査駆動部と、共通−アドレス電極ラインを駆動するためのアドレス駆動部のみが要求されるので、従来のように、Ｘ駆動部とアドレス駆動部とを別途に備える必要はない。したがって、駆動装置の製造コストが甚だしく減少する。
【００３１】
第五に、維持パルスの電圧Ｖｓとランプダウンパルスの最低電圧Ｖｎｆ２との大きさを同一にして、ＰＤＰに印加される電源レベルの種類が単純化される。したがって、ＰＤＰの駆動回路の製造コストが低減する。
【００３２】
第六に、ひいては、リセット期間のランプアップパルス及びランプダウンの直前及び直後電圧がＶｓであり、維持パルスの電圧Ｖｓとランプダウンパルスの最低電圧Ｖｎｆ２との大きさが同一であり、スキャンハイレベルの電圧がスキャンローレベルの電圧より維持パルスの電圧Ｖｓほど大きく印加されれば、ＰＤＰに印加される走査駆動部の電源レベルの種類がＶｓｅｔ、ＶＳＣ−Ｌ（またはＶＳＣ−Ｈ）、及びＶｓの３つの電源に単純化される。さらに、共通−アドレス電極ラインに印加されるバイアス電圧Ｖｘを表示データ信号の電圧Ｖａと同一にすれば、アドレス駆動部の製造コストも減少する。
【００３３】
第七に、リセット期間のランプアップパルス及びランプダウンパルスの直前及び直後電圧がＶｓであり、ランプアップパルスの最高電圧が２Ｖｓであり、スキャンハイレベルの電圧がスキャンローレベルの電圧より維持パルスの電圧Ｖｓほど大きく印加されるので、ＰＤＰに印加される走査駆動部の電源レベルの種類がＶＳＣ−Ｌ（またはＶＳＣ−Ｈ）、及びＶｓの２つの電源に単純化される。したがって、本発明によるＰＤＰによれば、必要な電源の種類が減少するので、パネルの駆動に必要な駆動部の製造コストも減少する。
【発明を実施するための最良の形態】
【００３４】
以下、添付された図面を参照して本発明をさらに詳細に説明する。
図４ないし図１２を参照して、本発明の望ましい実施形態を詳細に説明する。
図４ないし図７に示したように、本発明の一実施形態によるＰＤＰ ２００は、第１基板２０１と、第１基板２０１と対向するように配置された第２基板２０２と、第１基板２０１と第２基板２０２との間に配置され、第１基板２０１及び第２基板２０２と共に放電セル２２０を限定し、誘電体から形成された第１隔壁２０５と、放電セル２２０を取り囲むように第１隔壁２０５内に配置され、放電セル２２０を横切って延びる共通−アドレス電極ラインＡ１，．．．，Ａｎと、放電セル２２０を取り囲むように第１隔壁２０５内で共通−アドレス電極ラインＡ１，．．．，Ａｎに離隔されて配置され、各放電セル２２０で共通−アドレス電極ラインＡ１，．．．，Ａｎと交差するように延びる走査電極ラインＳ１，．．．，Ｓｍと、放電セル２２０内に配置された蛍光体層２１０と、放電セル２２０内にある放電ガスと、を備える。
【００３５】
第１基板２０１は、ガラスのように透光性の良い材料で製造される。第１基板２０１には、従来のＰＤＰの全面基板に存在した電極ラインＸ１，．．．，Ｘｎ，Ｙ１，．．．，Ｙｎが存在していないため、可視光線の前方透過率が甚だしく向上する。したがって、従来のレベルの輝度で画像を具現すれば、電極ラインＸ１，．．．，Ｘｎ，Ｙ１，．．．，Ｙｎを相対的に低い電圧で駆動し、したがって、発光効率が向上する。
【００３６】
第２基板２０２は、第１基板２０１に平行に配置され、通常的には、ガラスを主成分とする材料で製造される。
【００３７】
第２基板２０２と第１基板２０１との間には、両基板２０１，２０２と共に複数の放電セル２２０を限定する第１隔壁２０５が配置されている。第１隔壁２０５は、１ピクセルを構成する赤色発光サブピクセル、緑色発光サブピクセル、及び青色発光サブピクセルのうち何れか一つのサブピクセルに該当する放電セル２２０を区画し、この放電セル２２０の間に誤放電が起こることを防止する。
【００３８】
第１隔壁２０５は、放電時、共通−アドレス電極ラインＡ１，．．．，Ａｎと走査電極ラインＳ１，．．．，Ｓｍとが直接通電されることを防止し、荷電粒子が前記電極に直接衝突してこれらを損傷させることを防止し、荷電粒子を誘導して壁電荷を蓄積できる誘電体として形成されるが、このような誘電体としては、ＰｂＯ、Ｂ２Ｏ３、ＳｉＯ２がある。
【００３９】
第１隔壁２０５内には、放電セル２２０を取り囲む共通−アドレス電極ラインＡ１，．．．，Ａｎと走査電極ラインＳ１，．．．，Ｓｍとが垂直方向に互いに離隔されて交差するように配置され、前記電極ラインは、アルミニウム、銅のような導電性金属から形成される。ここで、共通−アドレス電極ラインＡ１，．．．，Ａｎは、共通及びアドレス電極として作用し、走査電極ラインＳ１，．．．，Ｓｍは、スキャン電極として作用する。
【００４０】
また、共通−アドレス電極ラインＡ１，．．．，Ａｎと走査電極ラインＳ１，．．．，Ｓｍとは、一方向に延びる台形になっている。
【００４１】
少なくとも第１隔壁２０５の側面は、保護膜２０９としてＭｇＯ膜２０９によって覆われておることが望ましい。ＭｇＯ膜２０９が必須的な構成要素ではないが、これは、荷電粒子が誘電体で形成された第１隔壁２０５に衝突して第１隔壁２０５を損傷させることを防止し、放電時、２次電子を多く放出する。
【００４２】
本発明によるＰＤＰ ２００は、第１隔壁２０５と背面基板２０２との間に配置され、第１隔壁２０５と共に放電セル２２０を限定する第２隔壁２０８をさらに備えることができる。図４には、第２隔壁２０８がマトリックス状に区画されると示されているが、これに限定されず、多様なパターンの隔壁、例えば、ストライプのような開放型隔壁はもとより、ワッフル、マトリックス、デルタのような閉鎖型隔壁からなることもできる。また、閉鎖型隔壁は、放電空間の横断面が、本実施形態のような四角形以外にも、三角形、五角形などの多角形、または円形、楕円形に形成される。図４に示したように、第１隔壁２０５と第２隔壁２０８とは、同じ形状に形成されるが、相異なる形状に形成されることもできる。
【００４３】
図５に示したように、蛍光体層２１０は、第２隔壁２０８と同じレベルに形成され、望ましくは、第２隔壁２０８の側面及び、第２隔壁２０８の間にある第２基板２０２上に塗布される。
【００４４】
蛍光体層２１０は、紫外線を受けて可視光線を発生させる成分を有するが、赤色発光サブピクセルに形成された蛍光体層は、Ｙ（Ｖ,Ｐ）Ｏ４：Ｅｕのような蛍光体を含み、緑色発光サブピクセルに形成された蛍光体層は、Ｚｎ２ＳｉＯ４：Ｍｎ、ＹＢＯ３：Ｔｂのような蛍光体を含み、青色発光サブピクセルに形成された蛍光体層は、ＢＡＭ：Ｅｕのような蛍光体を含む。
【００４５】
放電セル２２０には、Ｎｅ、Ｘｅ及びこれらの混合気体のような放電ガスが封じ込まれる。本実施形態を含む本発明の場合、放電面が増加し、放電領域が拡大されて、形成されるプラズマの量が増加するので、低電圧駆動が可能になる。したがって、本発明の場合、高濃度Ｘｅガスを放電ガスとして使用しても、低電圧駆動が可能になることによって、発光効率を画期的に向上させることができる。このような点は、従来のＰＤＰで高濃度Ｘｅガスを放電ガスとして使用する場合、低電圧駆動が非常に難しくなるという問題点を解決したことである。
【００４６】
一方、前記共通−アドレス電極ライン及び走査電極ラインは、導電性電極で形成され、一方向に延びた台形になっている。例えば、図６は、図５のＶ−Ｖ線の共通−アドレス電極ラインＡ１〜Ａｎの配置を示す配置図であって、一方向に延びた台形になっている。また、例えば、図７は、図５のＶＩ−ＶＩ線の走査電極ラインＳ１〜Ｓｍの配置を示す配置図であり、一方向に延びた台形になっている。
【００４７】
本発明の一実施形態によるプラズマディスプレイ装置３００は、図８に示したように、前述したＰＤＰ ２００、映像処理部１５６、論理制御部１６２、Ａ駆動部１５４、Ｓ駆動部１５５を備える。
【００４８】
また、プラズマディスプレイ装置は、映像処理部１５６をさらに備えることができる。映像処理部１５６は、外部アナログ映像信号をデジタル信号に変換して内部映像信号、例えば、それぞれ８ビットの赤色（Ｒ）、緑色（Ｇ）及び青色（Ｂ）映像データ、クロック信号、垂直及び水平動機信号を発生させる。論理制御部１６２は、映像処理部１５６からの内部映像信号によって駆動制御信号ＳＡ，ＳＳを発生させる。
【００４９】
Ａ駆動部１５４は、論理制御部１６２からの駆動制御信号ＳＡ，ＳＳのうち、Ａ駆動信号ＳＡを処理してディスプレイデータ信号を発生させ、発生したディスプレイデータ信号を共通−アドレス電極ラインＡ１，．．．，Ａｎに印加する。Ｓ駆動部１５５は、論理制御部１６２からの駆動制御信号ＳＡ，ＳＳのうち、Ｓ駆動制御信号ＳＳを処理して走査電極ラインＳ１，．．．，Ｓｍに印加する。
【００５０】
本発明の一実施形態によるプラズマディスプレイ装置３００では、ＰＤＰ ２００を駆動するためには、Ｓ駆動部１５５及びＡ駆動部１５４の２つの駆動部のみが要求されるため、従来の技術によるプラズマディスプレイ装置１００より駆動部の数が減少し、全体的な構造が単純化される。
【００５１】
図９は、図４のＰＤＰの駆動方式の一例を示す。図面を参照すれば、全ての単位フレームそれぞれは、時分割諧調ディスプレイを実現するために、８つのサブフィールドＳＦ１，．．．，ＳＦ８に分割される。また、各サブフィールドＳＦ１，．．．，ＳＦ８は、リセッティング時間ＰＲ１，．．．，ＰＲ８、アドレッシング時間ＰＡ１，．．．，ＰＡ８、及び維持−放電時間ＰＳ１，．．．，ＰＳ８に分割される。
【００５２】
全てのディスプレイセルの放電条件は、各リセッティング時間ＰＲ１，．．．，ＰＲ８で均一になると同時に、次の段階で行われるアドレッシングに適するようになる。
【００５３】
各アドレッシング時間ＰＡ１，．．．，ＰＡ８では、共通−アドレス電極ラインＡ１，．．．，Ａｎにディスプレイデータ信号が印加されると同時に、各走査電極ラインＳ１，．．．，Ｓｍに対応する走査パルスが順次に印加される。これにより、走査パルスが印加される間に高いレベルのディスプレイデータ信号が印加されれば、相応する放電セルでアドレッシング放電によって壁電荷が形成され、そうでない放電セルでは、壁電荷が形成されない。
【００５４】
各維持−放電時間ＰＳ１，．．．，ＰＳ８では、全ての共通−アドレス電極ラインＡ１，．．．，Ａｎは、接地電位ＶＧが維持され、全ての走査電極ラインＳ１，．．．，Ｓｍに維持−放電パルスが交互に印加され、相応するアドレッシング時間ＰＡ１，．．．，ＰＡ８で壁電荷が形成された放電セルで維持放電を起こす。したがってＰＤＰの輝度は、単位フレームで占める維持−放電時間ＰＳ１，．．．，ＰＳ８の長さに比例する。単位フレームで占める維持−放電時間ＰＳ１，．．．，ＰＳ８の長さは、２５５Ｔ（Ｔは、単位時間）である。したがって、単位フレームで一度もディスプレイされていない場合を含んで２５６諧調としてディスプレイできる。
【００５５】
ここで、第１サブフィールドＳＦ１の維持−放電時間ＰＳ１には、０に相応する時間１Ｔが、第２サブフィールドＳＦ２の維持−放電時間ＰＳ２には、１に相応する時間２Ｔが、第３サブフィールドＳＦ３の維持−放電時間ＰＳ３には、２に相応する時間４Ｔが、そして第８サブフィールドＳＦ８の維持−放電時間ＰＳ８には、７に相応する時間１２８Ｔがそれぞれ設定される。これにより、８個のサブフィールドのうち、ディスプレイされるサブフィールドを適切に選択すれば、どのサブフィールドでもディスプレイされていない０（霊）諧調を含んで、何れも２５６諧調のディスプレイが行われる。
【００５６】
図１０は、図９の単位サブ−フィールドＳＦでＰＤＰ ２００の電極ラインに印加される信号を示す。図１０で、Ａ１：Ａｎは、共通−アドレス電極ラインに印加される駆動信号を、Ｓ１，．．．，Ｓｍは、各走査電極ラインに印加される駆動信号を表す。
【００５７】
放電過程を説明すれば、リセット期間ＰＲは、電極ラインＳ１〜Ｓｍについてリセット信号を印加して、強制的に記入放電を行うことによって、セルの壁電荷状態を初期化する。アドレス期間ＰＡに入る前にリセット期間ＰＲが行われ、これは、全画面にわたって行うので、非常に均一でありつつも所望の分布の壁電荷配置を作ることができる。リセット期間ＰＲによって初期化されたセルは、セル内部の壁電荷条件が何れも類似して形成される。リセット期間ＰＲで、走査電極ラインＳ１〜Ｓｍの上昇ランプｔ２〜ｔ３では、第１回の弱放電が発生しつつ走査電極ラインＳ１〜Ｓｍに陰電荷が多く溜まり、アドレス電極とＸ電極ラインとには陽電荷が溜まる。
【００５８】
次いで、走査電極ラインＳ１〜Ｓｍの下降ランプｔ３〜ｔ４では、第２回の弱放電が発生しつつ走査電極ラインＳ１〜Ｓｍの電圧が段々低下するので、走査電極ラインＳ１〜Ｓｍの陰電荷は、段々消去されて放電空間に排出される。放電空間での弱放電によって放電セルの内部が初期化される。
【００５９】
前記リセット期間ＰＲで、第１回弱放電を起こすランプアップパルスｔ２〜ｔ３は、走査電極Ｓ１〜Ｓｍに基準電位より所定の電圧ＶＴ１ほど高い電圧から印加される。この場合、ランプアップパルスｔ２〜ｔ３が走査パルスのパルス大きさＶｓほど基準電位より高い電圧から印加され始めれば、走査パルスに使われる電源回路及びスイッチング回路以外に、ランプアップパルス印加用回路を別途に設置することによる製造コストの増加を低減できる。そして、第２回弱放電を起こすランプダウンパルスｔ３〜ｔ４は、走査電極Ｓ１〜Ｓｍに基準電位より所定の電圧ＶＴ２ほど高い電圧から印加される。この場合、ランプダウンパルスｔ３〜ｔ４が走査パルスのパルス大きさＶｓほど基準電位より高い電圧から印加され始めれば、走査パルスに使われる電源回路及びスイッチング回路以外に、ランプダウンパルス印加用回路を別途に設置することによる製造コストの増加を低減できる。
【００６０】
アドレス期間ＰＡで、複数のスキャン電極にスキャンハイレベルＶＳＣ−Ｈの電圧が印加された途中に、それぞれのスキャン電極にスキャンハイレベルより低いスキャンローレベルＶＳＣ−Ｌの走査パルスが順次に印加されれば、共通−アドレス電極が同時にターンオンされて選択された表示セルでは、Ｙ電極の近くで陰電荷が多量放出され、アドレス電極の近くで陽電荷が多量放出されてアドレス放電が発生し、これにより、Ｙ電極の近くには多量の陽電荷が溜まって維持放電準備状態となる。
【００６１】
アドレス期間ＰＡが行われた後に、走査電極ラインＳ１〜Ｓｍには、正の維持電圧Ｖｓ＋と負の維持電圧Ｖｓ−とが交互に印加される交互維持パルスによって維持放電期間ＰＳが行われる。
【００６２】
維持パルスが印加される時点で、アドレス区間で溜まった陽電荷が走査電極ラインＳ１〜Ｓｍに溜まっており、共通−アドレス電極ラインＡ１〜Ａｎには、陰電荷が溜まっている。一方、正の維持電圧Ｖｓ＋と負の維持電圧Ｖｓ−とで構成された交互維持パルスのうち、走査電極ラインＳ１〜Ｓｍに正の維持電圧Ｖｓ＋に向かって印加され始める途中には、走査電極ラインＳ１〜Ｓｍに溜まった陽電荷が空間電荷として排出され、共通−アドレス電極ラインＡ１〜Ａｎでも陰電荷が空間電荷として排出され、空間電荷の影響によって弱放電が始まる。そして、Ｖｓ＋電圧が印加されれば、走査電極ラインＳ１〜Ｓｍでは、さらに多くの陽電荷が共通−アドレス電極ラインＡ１〜Ａｎでは、さらに多くの陰電荷が空間電荷として排出され、前記弱放電を根拠として速くて強い維持放電が行われる。このような１次維持放電は、走査電極ラインＳ１〜Ｓｍの近くに溜まっている陽電荷Ｖｓ＋電圧との和と共通−アドレス電極ラインＡ１〜Ａｎに溜まっている陰電荷との差（すなわち、全ての電位値の絶対値の和）が放電開始電圧を超過しつつなされる。１次維持放電が生じれば、走査電極ラインＳ１〜Ｓｍの近くに陰電荷が溜まってＸ電極ラインの近くに陽電荷が溜まる。
【００６３】
次いで、走査電極ラインＳ１〜Ｓｍに負の維持電圧Ｖｓ−が印加され始めれば、共通−アドレス電極ラインＡ１〜Ａｎでは、陽電荷が空間電荷として排出され始め、走査電極ラインＳ１〜Ｓｍでは、陰電荷が空間電荷として排出され始め、最低電圧値Ｖｓ−に到達すれば、２次維持放電が行われる。このような２次維持放電は、共通−アドレス電極ラインＡ１〜Ａｎの近くに溜まっている陽電荷による電位から、走査電極ラインＳ１〜Ｓｍの近くに溜まっている陰電荷とＶｓ−電圧との和を減算した値（すなわち、全ての電位値の絶対値の和）が放電開始電圧を超過しつつなされる。２次維持放電が生じれば、走査電極ラインＳ１〜Ｓｍの近くに、再び１次維持放電直前状態のように陽電荷が溜まり、Ｘ電極ラインの近くに陰電荷が溜まる。その後、再び１次維持放電と同じ作用によって３次維持放電が生じ、その後、再び２次維持放電と同じ作用によって、４次維持放電が生じる。サブフィールド別に所定の時間の間に交互維持パルスが持続されて、このような維持放電が持続される。
【００６４】
図１１は、単位サブ−フィールドで、ＰＤＰ ２００の共通−アドレス電極ラインＳｍに印加される信号波形図及び、オンセルとオフセルとにおける壁電荷によって形成される壁電圧Ｖ（ＯＮ），Ｖ（ＯＦＦ）を示す分布図であり、図１２は、図４のＰＤＰの駆動方式の一例を、図１３は、他の例を、図１４は、さらに他の例を示す。
【００６５】
以下では、図１１ないし図１４を参照し、以下では、本発明の特徴によって、壁電荷によって形成される壁電圧を考慮した駆動信号波形の傾斜度及びサイズを限定する。
【００６６】
図１１の第１波形図は、共通−アドレス電極ラインＡ１〜Ａｎにデータ電圧Ｖａを有する表示データ信号が印加される形を示し、第２波形図は、第ｍ走査電極ラインＳｍに印加される信号波形を示す。図１１の第３波形図のＶ（Ｓ−Ａ）は、走査電極と共通−アドレス電極とに印加される信号の電圧差ＶＳ−ＶＡを表し、Ｖ（ＯＮ）は、第ｍ走査電極ラインＳｍに交差する共通−アドレス電極ラインＡ１〜Ａｎにデータ電圧Ｖａを有する表示データ信号が印加されて、当該放電セルがオンになる時の壁電圧を表す。図１１の第４波形図のＶ（Ｓ−Ａ）は、走査電極と共通−アドレス電極とに印加される信号の電圧差ＶＳ−ＶＡを表し、Ｖ（ＯＦＦ）は、第ｍ走査電極ラインＳｍに交差する共通−アドレス電極ラインＡ１〜Ａｎに表示データ信号が印加されなくて、当該放電セルがオフになる時の壁電圧を表す。
【００６７】
本発明のリセット期間ＰＲでは、走査電極ラインＳ１〜Ｓｍへのランプアップパルスｔ２〜ｔ３の印加による第１初期化放電と、ランプダウンパルスｔ３〜ｔ４の印加による第２初期化放電とを経る。第１初期化放電は、走査電極ラインＳ１〜Ｓｍに急でない傾斜度を有するランプアップパルスｔ２〜ｔ３が印加されつつ、弱放電が発生すると同時に、走査電極の近く（すなわち、走査電極上の誘電体層）に負極性電荷が溜まる現象を称す。第１初期化放電にかかる時間ｔ２〜ｔ３を減らすために、ランプアップパルスは、第２電位ＶＴ１から印加されることが望ましい。以後、ランプアップパルスは、第１電位であるＶＳＥＴ＋ＶＴ１まで上昇する。
【００６８】
そして、第２初期化放電では、走査電極ラインＳ１〜Ｓｍにランプダウンパルスが印加されつつ、走査電極ラインＳ１〜Ｓｍの近く（すなわち、走査電極上の誘電体層）に溜まっている陰電荷が放出されつつ弱放電が発生する。このとき、走査電極ラインＳ１〜Ｓｍに印加されるランプダウンパルスは、強放電が発生しないほどの急でない傾斜度を有せねばならず、具体的には、ランプダウンパルスの電圧よりも固有放電開始電圧Ｖｆ（これについては、後述する）ほど高い壁電圧が維持されつつ、第２初期化放電の発生する傾斜度を有することが望ましい。ランプダウンパルスは、第２初期化放電期間ｔ３〜ｔ４を短縮させるために、第１電位ＶＳＥＴ＋ＶＴ１から第３電位ＶＴ２まで電圧を下降させた後に印加されることが望ましい。
【００６９】
そして、アドレス期間ＰＡでは、スキャンハイレベルＶＳＣ−Ｈを維持する複数個の走査電極ラインＳ１〜Ｓｍに、スキャンローレベルＶＳＣ−Ｌの走査パルスが順次に印加され、走査パルスが印加される走査電極ラインＳ１〜Ｓｍに交差する共通−アドレス電極ラインＡ１〜Ａｎに選択的に表示データ信号が印加される。データ電圧Ｖａを有する表示データ信号が印加される放電セルは、アドレス放電が発生するが、表示データ信号が印加されていない放電セルは、アドレス放電が発生しない。
【００７０】
そして、維持放電期間ＰＳで、走査電極ラインＳ１〜Ｓｍに交互維持パルスが印加される。アドレス期間ＰＡで、データ電圧Ｖａを有する表示データ信号が印加された放電セルは、アドレス放電が発生してオン（ＯＮ）になり、維持放電が発生するが、表示データ信号が印加されていない放電セルは、アドレス放電が発生しなくてオフ（ＯＦＦ）になり、維持放電も発生しない。
【００７１】
一方、ＰＤＰ ２００の放電セルは、所定の臨界電圧が放電セル内の電極間に発生して始めて、強放電が発生し、このような前記所定の臨界電圧を固有放電開始電圧Ｖｆという。放電セル内では、隔壁に蓄積された壁電荷による壁電圧Ｖ（ＯＮ）と、共通−アドレス電極と走査電極とに印加される信号間の電圧差との和が放電セルの固有放電開始電圧Ｖｆを超過する時、強放電を発生させる。
【００７２】
しかし、本発明によるＰＤＰ ２００の単位放電セルは、１個の走査信号と１個のアドレス信号とが印加されるので、ただ２個の電極間の電圧差のみが問題となる。したがって、本発明のように、２電極からなるＰＤＰでは、リセット期間の固有放電開始電圧と、前記アドレス放電期間の固有放電開始電圧、及び前記維持放電期間の固有放電開始電圧は同一である。
【００７３】
一方、図１１の第３波形図の参照符号Ｖ（ＯＮ）を参照すれば、選択された放電セルにおいて、前記維持放電期間ＰＳで、走査電極ラインＳ１〜Ｓｍに印加される交互維持パルスの電圧大きさＶｓは、固有放電開始電圧Ｖｆの半分、すなわち、Ｖｆ／２よりも大きく印加されることが、安定的な維持放電の発生のために望ましい。
Ｖｓ＞Ｖｆ／２     ．．．（１）
【００７４】
一方、前述したように、走査電極ラインＳ１〜Ｓｍに印加されるランプダウンパルスは、強放電が発生しないほどの急でない傾斜度を有するので、前記ランプダウンパルスの印加中には、放電セルでは、ランプダウンパルスの最低電圧Ｖｎｆよりも固有放電開始電圧Ｖｆほど高い壁電圧が維持されつつ、類似した傾斜度を有して下降する。
【００７５】
そして、前記ランプダウンパルスが印加された以後には、放電セルでは、ランプダウンパルスの最低電圧Ｖｎｆよりも固有放電開始電圧Ｖｆほど高いリセット後壁電圧Ｖｗが維持される。リセット後壁電圧Ｖｗは、当該放電セルが選択されない場合（すなわち、アドレス放電が発生しない場合）には、維持放電期間ＰＳまでも維持される。
【００７６】
ここで、ランプダウンパルスが印加された直後の壁電圧、すなわち、リセット後壁電圧Ｖｗは、
Ｖｗ＝Ｖｆ−Ｖｎｆ      ．．．（２）
【００７７】
一方、選択されていない放電セルで、前記リセット後壁電圧Ｖｗによって維持放電期間で誤放電が発生しないようにするためには、リセット後壁電圧Ｖｗの大きさは、固有放電開始電圧Ｖｆの半分よりも小さくなければならない。
【００７８】
したがって、リセット後壁電圧Ｖｗの大きさは、
｜Ｖｗ｜＜Ｖｆ／２     ．．．（３）
【００７９】
さらに一方、選択されていない放電セルで、前記リセット後壁電圧Ｖｗと前記交互維持パルスの電圧大きさＶｓとの和は、前記固有放電開始電圧Ｖｆよりも小さくなければならない。したがって、
｜Ｖｓ｜＋Ｖｗ＜Ｖｆ     ．．．（４）
【００８０】
例えば、選択されていない放電セルに印加される第２維持パルスで、Ｖｓ＋Ｖｗ＜Ｖｆであって始めて、誤放電が発生しない。前記式２で、Ｖｗ＝Ｖｆ−Ｖｎｆであるので、これを式４に代入すれば、
Ｖｓ＋（Ｖｆ−Ｖｎｆ）＜Ｖｆ
したがって、Ｖｎｆ＞Ｖｓ            ．．．（５）
の式が得られる。
【００８１】
したがって、リセット期間ＰＲでのランプダウンパルスの最低電圧の電圧大きさＶｎｆは、維持放電期間ＰＳでの交互維持パルスの電圧大きさＶｓよりも大きいことが望ましいということが分かる。
【００８２】
しかし、リセット期間ＰＲでのランプダウンパルスの最低電圧の電圧大きさＶｎｆは、高電圧であるので、駆動回路の製造コストの上昇の要因となるだけでなく、電磁波障害の発生の要因となる。
【００８３】
したがって、走査電極と共通−アドレス電極とに印加される信号の電圧差ＶＳ−ＶＡを維持しつつ、リセット期間ＰＲでのランプダウンパルスの最低電圧の電圧大きさＶｎｆを減らすことが望ましい。
【００８４】
したがって、図１２のように、ランプダウンパルスｔ３〜ｔ４が印加される時、共通−アドレス電極ラインにバイアス電圧Ｖｘを印加させることによって、ランプダウンパルスの最低電圧の電圧大きさＶｎｆを減らすことができるようにした。
【００８５】
また、ランプダウンパルスｔ３〜ｔ４が印加される時、共通−アドレス電極ラインにリセット用バイアス電圧Ｖｘを印加させれば、共通−アドレス電極ラインから陽電荷が放出されて、走査電極ラインＳ１〜Ｓｍから放出される陰電荷と作用することによって、第２回弱放電が円滑に行われる。
【００８６】
特に、本発明によるＰＤＰの駆動方法では、共通−アドレス電極ラインＡ１〜Ａｎに印加されるバイアス電圧Ｖｘの大きさが、前記ランプダウンパルスの最低電圧の電圧大きさＶｎｆと、前記維持放電期間での前記交互維持パルスの電圧大きさＶｓとを同一にできる大きさを有するように駆動する。したがって、走査駆動回路の製造に必要な電源回路が簡単になるので、製造コストが減少する。
【００８７】
図１２に開示された波形図で、ランプダウンパルスの最低電圧の電圧大きさは、Ｖｓであり、このとき、走査電極ラインＳ１〜Ｓｍに印加されるランプダウンパルスの最低電圧Ｖｓと、共通−アドレス電極ラインＡ１〜Ａｎに印加されるバイアス電圧Ｖｘとの電圧差Ｖｓ−Ｖｘは、図１１の波形図によって駆動される場合のＶｎｆと同一である。したがって、図１１の第３波形図及び第４波形図に示したように、ランプダウンパルスの最低電圧が印加される時点で、走査電極と共通−アドレス電極とに印加される信号の電圧差Ｖ（Ｓ−Ａ）はＶｎｆと同一である。
【００８８】
したがって、図１２で、共通−アドレス電極ラインＡ１〜Ａｎにバイアス電圧Ｖｘが印加される時、走査電極ラインＳ１〜Ｓｍに印加されるランプダウンパルスの最低電圧をＶｎｆ２とすれば、
前記式５は、
Ｖｎｆ２＝Ｖｓ     ．．．（５’）
に変形され、
Ｖｎｆ＝Ｖｎｆ２−Ｖｘ＝Ｖｓ−Ｖｘであり、図１１で把握されるＶｎｆの大きさは、
｜Ｖｎｆ｜＝｜Ｖｓ｜＋｜Ｖｘ｜    ．．．（６）
となる。
【００８９】
一方、図１２のアドレス期間ＰＡで、走査パルスが印加される時、スキャンローレベルＶＳＣ−Ｌ電圧は、別途の電源を印加せねばならないが、スキャンハイレベルＶＳＣ−Ｈ電圧は、スキャンローレベルＶＳＣ−Ｌ電圧よりも維持パルスの電圧Ｖｓほど大きい電位を印加できる。
【００９０】
すなわち、
ＶＳＣ−Ｈ＝ＶＳＣ−Ｌ＋Ｖｓ     ．．．（７）
【００９１】
前記スキャンハイレベルＶＳＣ−Ｈと前記スキャンローレベルＶＳＣ−Ｌとの電圧差は、前記維持パルスの電圧大きさＶｓと同一である。したがって、スキャンハイレベルＶＳＣ−Ｈ電圧は、別途の電源が設置される必要なく、スキャンローレベルＶＳＣ−Ｌ電圧に維持パルスの電圧Ｖｓを加算した電位を印加できるので、走査駆動部の製造コストが低減できる。他の一方では、スキャンハイレベルＶＳＣ−Ｈ電圧について、別途の電源を設置し、スキャンローレベルＶＳＣ−Ｌ電圧は、別途の電源を設置する必要なく、スキャンハイレベルＶＳＣ−Ｈ電圧から維持パルスの電圧Ｖｓほど低めた電位を印加することもできる。
【００９２】
また、スキャンハイレベルＶＳＣ−Ｈ電圧がグラウンド電位と同一である時にも、別途の電源が設置される必要は無い。
【００９３】
一方、図１３のように、共通−アドレス電極ラインＡ１〜Ａｎに印加されるバイアス電圧Ｖｘが、表示データ信号の電圧Ｖａと同一である場合、すなわち、Ｖｘ＝Ｖａの場合には、アドレス駆動部の製造コストも低減される。
【００９４】
以上、前述したように、本発明によるＰＤＰの駆動方法によれば、必要な電源の種類が減少するので、パネルの駆動に必要な駆動部の製造コストが低減する。
【００９５】
また、リセット期間ＰＲで、（ＶＴ１＝ＶＴ２＝Ｖｓ）であり、Ｖｎｆ２＝Ｖｓ（式５’）であり、アドレス期間ＰＡで、ＶＳＣ−Ｈ＝ＶＳＣ−Ｌ＋Ｖｓ（式７）であれば、パネルの駆動に必要な走査駆動部の電源の種類は、Ｖｓｅｔ、ＶＳＣ−Ｌ（またはＶＳＣ−Ｈ）、及びＶｓである。Ｖｎｆ２は、Ｖｓと同一であり、ＶＳＣ−Ｈ＝ＶＳＣ−Ｌ＋Ｖｓであるためである。
【００９６】
一方、前述したリセット期間ＰＲで、ランプアップパルスｔ２〜ｔ３は、維持パルスの電圧Ｖｓから印加され始めて、第１電位である（Ｖｓｅｔ＋ＶＴ１＝Ｖｓｅｔ＋Ｖｓ）まで上昇する。前記第１電位の大きさは、Ｖｓｅｔ＋Ｖｓであるが、初期化放電が行われるために、Ｖｓｅｔの大きさは、
Ｖｓｅｔ＋Ｖｓ＞Ｖｆ     ．．．（８）
を満足する値を有さねばならない。前記式１で、２Ｖｓ＞Ｖｆであるが、Ｖｓｅｔ＝Ｖｓとしても、式８を満足するか否かを確認せねばならない。しかし、Ｖｓｅｔ＝Ｖｓとすれば、式８が式１と同一になるので、Ｖｓｅｔ＝Ｖｓに設定することが可能であることが分かる。
【００９７】
したがって、ランプアップパルスの第１電位Ｖｓｅｔ＋Ｖｓは、２Ｖｓに設定されても良い。
（Ｖｓｅｔ＋Ｖｓ）＝２Ｖｓ     ．．．（９）
【００９８】
このように、図１４の波形図では、前記（ＶＴ１＝ＶＴ２＝Ｖｓ）及び（Ｖｓｅｔ＝Ｖｓ）を適用した。
【００９９】
以上、図面及び明細書で最適の実施形態が開示された。ここで、特定の用語が使われたが、これは、単に本発明を説明するための目的で使われたものであり、意味限定や特許請求の範囲に記載された本発明の範囲を制限するために使われたものではない。したがって、当業者ならば、これから多様な変形及び均等な他の実施形態が可能であることが分かる。したがって、本発明の真の技術的保護範囲は、特許請求の範囲の技術的思想によって決定されねばならない。
【産業上の利用可能性】
【０１００】
本発明は、ＰＤＰに関連した技術分野に適用可能である。
【図面の簡単な説明】
【０１０１】
【図１】従来の技術による３電極面放電方式のＰＤＰの内部構造を示す斜視図である。
【図２】図１のＰＤＰを備えるプラズマディスプレイ装置を示すブロック図である。
【図３】図１のＰＤＰを駆動する信号の波形を示す波形図である。
【図４】本発明の一実施形態によるＰＤＰを示す部分切開斜視図である。
【図５】図４のＩＶ−ＩＶ線の断面図である。
【図６】図５のＶ−Ｖ線の共通−アドレス電極ラインＡ１〜Ａｎの配置を示す配置図である。
【図７】図５のＶＩ−ＶＩ線の走査電極ラインＳ１〜Ｓｍの配置を示す配置図である。
【図８】図４のＰＤＰを備えるプラズマディスプレイ装置を示すブロック図である。
【図９】図４のＰＤＰの駆動方式の一例を示すタイミング図である。
【図１０】図９の単位サブフィールドで、図４のＰＤＰの電極ラインに印加される信号の波形図である。
【図１１】単位サブ−フィールドで、ＰＤＰの電極ラインに印加される信号の波形図、及びオンセルとオフセルとにおける壁電荷によって形成される壁電圧を示す分布図である。
【図１２】図４のＰＤＰの駆動方式の一例であって、単位サブフィールドでＰＤＰの電極ラインに印加される信号の波形図、及びオンセルとオフ−セルとにおける壁電荷によって形成される壁電圧を示す分布図である。
【図１３】図４のＰＤＰの駆動方式の他の例であって、単位サブフィールドでＰＤＰの電極ラインに印加される信号の波形図、及びオンセルとオフ−セルとにおける壁電荷によって形成される壁電圧を示す分布図である。
【図１４】図４のＰＤＰの駆動方式のさらに他の例であって、単位サブフィールドでＰＤＰの電極ラインに印加される信号の波形図、及びオンセルとオフセルとにおける壁電荷によって形成される壁電圧を示す分布図である。
【符号の説明】
【０１０２】
２００    ＰＤＰ
２０１    第１基板
２０２    第２基板
２０５    第１隔壁
２０８    第２隔壁
２０９    保護膜（ＭｇＯ膜）
２１０    蛍光体層
２２０    放電セル
Ａｎ〜Ａｎー１    共通−アドレス電極ライン
Ｓｍ〜Ｓｍ−１    走査電極ライン
【図１】
2006018258.tif 000003
【図２】
2006018258.tif 000004
【図３】
2006018258.tif 000005
【図４】
2006018258.tif 000006
【図５】
2006018258.tif 000007
【図６】
2006018258.tif 000008
【図７】
2006018258.tif 000009
【図８】
2006018258.tif 000010
【図９】
2006018258.tif 000011
【図１０】
2006018258.tif 000012
【図１１】
2006018258.tif 000013
【図１２】
2006018258.tif 000014
【図１３】
2006018258.tif 000015
【図１４】
2006018258.tif 000016